(57)【要約】【課題】電磁性物質を有する造影用カプセルを利用した画像形成技術を提供する。【解決手段】超音波探触子１１８は、電磁性物質を有する造影用カプセルに対して超音波を送波する。アンテナ１２２は、超音波を受けた造影用カプセルの振動体が電磁性物質を振動させることにより引き起こされる電磁界の変化を検出して受信信号を得る。その受信信号には、送波される超音波の中心周波数を基本波成分とした場合における高調波成分が含まれている。信号プロセッサ１３０は、高調波成分を含んだ受信信号のデータに基づいて画像データを形成する。高調波成分を含んだ受信信号に基づいて画像データが形成されるため、ノイズによる悪影響が低減されて画像が改善される。また、振動体が電磁性物質を振動させるため、電磁性物質が充分に振動して電磁界の変化が良好になり画像が改善される。【選択図】図６
2009279166.tif 000002
【特許請求の範囲】
【請求項１】
造影用カプセルを利用する画像形成システムであって、
前記造影用カプセルは、
外力を受けて振動することにより電磁界を変化させる電磁性物質と、
超音波を受けて運動することにより電磁性物質を振動させる振動体と、
を有し、
前記画像形成システムは、
前記造影用カプセルに対して超音波を送波する超音波振動子と、
超音波を受けた前記造影用カプセルの振動体が電磁性物質を振動させることにより引き起こされる電磁界の変化を検出して受信信号を得る電磁界検出部と、
前記送波される超音波の中心周波数を基本波成分とした場合における高調波成分を含んだ前記受信信号に基づいて画像データを形成する画像形成部と、
を有する、
ことを特徴とする画像形成システム。
【請求項２】
請求項１に記載の画像形成システムにおいて、
前記造影用カプセルの共振周波数を基準として設定される送信周波数かつ前記造影用カプセルの膨張倍率を基準として設定される送信音圧で超音波を送波するように前記超音波振動子を制御する送信制御部をさらに有する、
ことを特徴とする画像形成システム。
【請求項３】
請求項２に記載の画像形成システムにおいて、
前記送信制御部は、前記造影用カプセルの共振周波数以下となるように前記送信周波数を設定し、前記造影用カプセルの膨張倍率が１．５以上となるように前記送信音圧を設定する、
ことを特徴とする画像形成システム。
【請求項４】
超音波を送波してその超音波に応じた電磁界の変化を検出する造影に利用される造影用カプセルであって、
外力を受けて振動することにより電磁界を変化させる自発分極体と、
超音波を受けて運動することにより自発分極体を振動させる振動体と、
を有する、
ことを特徴とする造影用カプセル。
【請求項５】
請求項４に記載の造影用カプセルにおいて、
前記自発分極体は、焦電体である、
ことを特徴とする造影用カプセル。
【発明の詳細な説明】
【技術分野】
【０００１】
本発明は、画像形成システムに関し、特に、造影用カプセルを利用した画像形成技術に関する。
【背景技術】
【０００２】
超音波を用いた造影において、マイクロバブル（またはナノバブル）を含んだ造影剤が知られている。マイクロバブルは、液体などに注入された微細な気泡（微小気泡）を意味している。このマイクロバブルは、様々な優れた特性を備えているため、多くの分野で利用されており、特に、医療分野への応用として、マイクロバブルが超音波の好適な反射体となることから、超音波画像を取得する際の血管造影剤として利用されている。
【０００３】
一方において、超音波と他の物理的な現象とを組み合わせた造影に関する提案もある。例えば、特許文献１と特許文献２には、磁性体などを含んだ造影剤を磁界により振動させ、その振動に伴って発生する超音波を検出する旨の技術が記載されている。また、特許文献３には、造影剤を用いた造影技術ではないものの、音波を照射して誘起される電磁波を検出する旨の技術が記載されている。また、非特許文献１には、磁性粒子（Magnetic Nanoparticles）を超音波で振動させ、その振動に伴って発生する磁界の変化を検出する旨の技術が記載されている。
【０００４】
【特許文献１】特開平１０−５２１６号公報
【特許文献２】特開平１１−２０６７６３号公報
【特許文献３】国際公開第２００７／０５５０５７号パンフレット
【非特許文献１】S.J.Norton,T.Vo-Dinh,"Imaging the Distribution of Magnetic Nanoparticles with Ultrasound",IEEE TRANSACTIONS ON MEDICAL IMAGING,VOL.26,NO.5,MAY 2007,p.660-665
【発明の開示】
【発明が解決しようとする課題】
【０００５】
このような状況のもと、本願の発明者は、超音波と電磁界を併用した造影技術について研究開発を重ねてきた。特に、電磁性物質を有する造影用カプセルを利用した画像形成技術に注目した。ちなみに、上記非特許文献１は、磁性粒子を超音波で振動させてその振動に伴う磁界の変化を検出する際の理論を開示しているものの、造影用カプセルを利用するものではない。
【０００６】
本発明は、上述した研究開発の過程において成されたものであり、その目的は、電磁性物質を有する造影用カプセルを利用した画像形成技術を提供することにある。
【課題を解決するための手段】
【０００７】
上記目的を達成するために、本発明の好適な態様である画像形成システムは、造影用カプセルを利用する画像形成システムであって、前記造影用カプセルは、外力を受けて振動することにより電磁界を変化させる電磁性物質と、超音波を受けて運動することにより電磁性物質を振動させる振動体と、を有し、前記画像形成システムは、前記造影用カプセルに対して超音波を送波する超音波振動子と、超音波を受けた前記造影用カプセルの振動体が電磁性物質を振動させることにより引き起こされる電磁界の変化を検出して受信信号を得る電磁界検出部と、前記送波される超音波の中心周波数を基本波成分とした場合における高調波成分を含んだ前記受信信号に基づいて画像データを形成する画像形成部と、を有することを特徴とする。
【０００８】
上記態様によれば、高調波成分を含んだ受信信号に基づいて画像データが形成されるため、例えば超音波振動子などから発生する基本波成分を多く含んだノイズによる悪影響が低減され、画像が改善される。また、上記態様によれば、振動体が電磁性物質を振動させるため、例えば電磁性物質が直接的に超音波を受けて振動するのみの場合に比べて、電磁性物質が充分に振動して電磁界の変化が良好になり、画像が改善される。
【０００９】
望ましい態様において、前記画像形成システムは、前記造影用カプセルの共振周波数を基準として設定される送信周波数かつ前記造影用カプセルの膨張倍率を基準として設定される送信音圧で超音波を送波するように前記超音波振動子を制御する送信制御部をさらに有することを特徴とする。
【００１０】
望ましい態様において、前記送信制御部は、前記造影用カプセルの共振周波数以下となるように前記送信周波数を設定し、前記造影用カプセルの膨張倍率が１．５以上となるように前記送信音圧を設定する、ことを特徴とする。
【００１１】
また、上記目的を達成するために、本発明の好適な態様である造影用カプセルは、超音波を送波してその超音波に応じた電磁界の変化を検出する造影に利用される造影用カプセルであって、外力を受けて振動することにより電磁界を変化させる自発分極体と、超音波を受けて運動することにより自発分極体を振動させる振動体と、を有することを特徴とする。望ましい態様において、前記自発分極体は焦電体であることを特徴とする。
【発明の効果】
【００１２】
本発明により、電磁性物質を有する造影用カプセルを利用した画像形成技術が提供される。例えば、本発明の好適な態様によれば、高調波成分を含んだ受信信号に基づいて画像データが形成されるため、ノイズによる悪影響が低減されて画像が改善される。また、本発明の好適な態様によれば、振動体が電磁性物質を振動させるため、電磁性物質が充分に振動して電磁界の変化が良好になり画像が改善される。
【発明を実施するための最良の形態】
【００１３】
以下、本発明の好適な実施形態を説明する。
【００１４】
図１には、本発明に係る造影用カプセルの好適な実施形態が示されており、図１は、造影用カプセル１０の構造を説明するための説明図である。造影用カプセル１０は、例えば、超音波を送波してその超音波に応じた電磁界の変化を検出する際の造影剤として利用される。
【００１５】
造影用カプセル１０は、生体適合性に優れたポリマーなどにより外殻１６が形成され、全体として例えば略球形に形成される。その直径Ｌは、例えば１００ｎｍ〜数十μｍ程度である。外殻１６内は、圧縮性に優れた液体１４、例えばＰＦＣ（パーフルオロカーボン）で満たされている。その液体１４内に、例えばＳＦ６（六フッ化硫黄）などの難溶性ガスによる直径１００ｎｍ〜１０μｍ程度の微小気泡１８が封入されている。
【００１６】
さらに、外殻１６内には、長さ１ｎｍ〜数μｍ程度の棒状の電磁性物質１２が封入されている。電磁性物質１２としては、例えば、焦電体などの自発分極体が利用される。焦電体は、外部電場をかけていない状態でも分極する自発分極の性質を備えている。本実施形態において好適な焦電体としては、例えば、チタン酸バリウム(ＢａＴｉＯ３)、チタン酸ジルコン酸鉛(ＰＺＴ)、強誘電性液晶（Ｐｂ（ＺｒＴｉＯ３））、亜硝酸ナトリウム（ＮａＮＯ２）、各種誘電体ポリマー等を挙げることができる。造影用カプセル１０に超音波が照射されると、電磁性物質１２が振動して周囲の電磁界を変化させる。
【００１７】
図２は、超音波による電磁性物質１２の振動を説明するための図である。造影用カプセル１０に超音波が照射されると、造影用カプセル１０内の微小気泡１８が超音波の影響を受けて膨張や圧縮を繰り返し、また、造影用カプセル１０内の液体１４も造影用カプセル１０内で運動する。図２（Ａ）から（Ｃ）にはその様子が示されている。
【００１８】
つまり、造影用カプセル１０に超音波が照射されると、微小気泡１８が図２（Ａ）に示す状態から図２（Ｂ）に示す状態へと膨張し、液体１４も外殻１６側へ移動する。これにより、電磁性物質１２が図２（Ｂ）の破線で示す位置から実線で示す位置に移動される。なお、造影用カプセル１０の全体が超音波の影響を受けて膨張してもよい。また、図２（Ｃ）は、微小気泡１８が収縮した状態を示しており、微小気泡１８の収縮により液体１４が造影用カプセル１０の中心側へ戻り、これにより、電磁性物質１２が図２（Ｃ）の破線で示す位置から実線で示す位置に移動される。その際、造影用カプセル１０の全体が収縮してもよい。
【００１９】
図２に示すように、超音波の影響を受けて微小気泡１８が膨張や収縮を繰り返し、また、液体１４が造影用カプセル１０内で大きく動くことにより、例えば微小気泡１８や液体１４が存在しない場合に比べて、電磁性物質１２が造影用カプセル１０内で強く振動する。この時、例えば、超音波振動の中心周波数を基本波成分とした場合における高調波成分の振動（電磁界の振動）が強く発生する。電磁界の振動が超音波振動によって発生するため非常にバックグランドが少ないことなどにより、非常に高感度な検出が可能となる。
【００２０】
なお、微小気泡１８を省略して、液体１４のみにより電磁性物質１２を振動させるようにしてもよい。さらに、外殻１６を省略して、例えば液体１４の表面張力により形状を維持した造影用カプセル１０を形成してもよい。
【００２１】
図３は、外殻１６に抗体２２を修飾した造影用カプセル１０を示す図である。外殻１６やその内側に封入される液体や微小気泡や電磁性物質は、その構成や材質が例えば図１のものと同じである。図３（Ａ）に示すように、外殻１６の外側に、目的分子を補足するための抗体２２が修飾されてもよい。なお、標識は、抗体２２の他に、核酸やその他の低分子リガンド等が用いられてもよい。目的分子を捕捉するための分子を標識することで、造影用カプセル１０が分子イメージング用探触子として機能する。
【００２２】
また、図３（Ｂ）は、外殻１６内に薬剤２４を封入した造影用カプセル１０を示している。薬剤２４を封入することにより、造影用カプセル１０をドラック・デリバリー・システム（ＤＤＳ）に応用できる。例えば、薬剤２４が封入された造影用カプセル１０に、強力な超音波を与えることにより、内部の微小気泡を破裂させて強い衝撃波を発生させ、外殻１６の一部または全部を壊して、内部の薬剤２４を放出する。例えば、抗体２２が悪性腫瘍に特異的に発現する分子をターゲットとすることにより、薬剤２４が封入された造影用カプセル１０を悪性腫瘍に補足させ、悪性腫瘍の近傍において薬剤２４を放出させることにより、診断と治療を同時に実施することも可能となる。
【００２３】
図４は、外殻１６の外側に電磁性物質１２が配置された造影用カプセル１０を示す図である。図４において、電磁性物質１２は、高分子２６を介して外殻１６の外側に接続されている。高分子２６の代表例はＰＥＧ鎖などである。図４の造影用カプセル１０に超音波が照射されると、例えば、微小気泡や外殻１６が膨張圧縮してその運動が高分子２６を介して電磁性物質１２に伝えられて電磁性物質１２が振動する。外殻１６やその内側に封入される液体や微小気泡、そして電磁性物質１２は、その構成や材質が例えば図１のものと同じである。
【００２４】
図５は、外殻１６中に電磁性物質１２が封入された造影用カプセル１０を示す図である。図５の造影用カプセル１０に超音波が照射されると、例えば、外殻１６が膨張圧縮してその運動に伴って電磁性物質１２が振動する。図５の造影用カプセル１０は、比較的製作が容易であり、また、電磁性物質１２を固定しやすくなることにより、振動や収縮に伴う電磁性物質１２同士の結合などを防止できる。外殻１６やその内側に封入される液体や微小気泡、そして外殻１６中に封入される電磁性物質１２は、その構成や材質が例えば図１のものと同じである。
【００２５】
図６には、本発明に係る画像形成システムの好適な実施形態が示されており、図６は、画像形成システムの全体構成を示す機能ブロック図である。図６に示す画像形成システムは、前述の造影用カプセル（図１〜図５の符号１０）を利用して画像を形成するシステムである。造影用カプセルは、対象物１２０（例えば生体内の血管や腫瘍などの診断部位）に投与される。
【００２６】
信号発生器１１２は、メイン制御部１１０によって制御され、送信パルスを形成するための駆動信号を生成して送信ビームフォーマー１１４へ出力する。送信ビームフォーマー１１４は、超音波探触子１１８に含まれる図示しない複数の振動素子を制御して送信ビームを形成し、形成した送信ビームを電子的に走査する。送信アンプ１１６は、送信ビームフォーマー１１４から供給される信号に対して増幅処理を施す。そして、増幅処理された送信信号が超音波探触子１１８へ出力される。
【００２７】
超音波探触子１１８は、送信信号に基づいて、造影用カプセルが投与された対象物１２０に対して超音波を照射する。これにより、先に説明したように（図２参照）、造影用カプセルに含まれる電磁性物質が振動して周囲の電界や磁界を変化させる。
【００２８】
アンテナ１２２は、超音波を受けた造影用カプセルによって引き起こされる電磁界の変化を検出する。アンテナ１２２は、例えば、電磁界の変化に伴って発生する電磁波を検出して検出結果である電流を受信アンプ１２４に出力する。本実施形態では、各送信ビームごとにその送信ビームに応じた電磁界の検出結果が得られる。
【００２９】
図７は、送信ビーム１４０と造影用カプセル１０の対応関係を説明するための図である。アレー振動子１１９は、複数の振動素子によって構成され、超音波探触子（図６の符号１１８）の内部に設けられる。そして、アレー振動子１１９を構成する複数の振動素子が送信ビームフォーマー（図６の符号１１４）によって制御され、対象物（図６の符号１２０）を含む走査領域内においてビーム方向を段階的に変化させながら、複数の送信ビーム１４０が形成される。なお、走査領域は二次元平面でもよいし三次元空間でもよい。
【００３０】
送信ビーム１４０が走査されると、送信ビーム１４０の位置にある造影用カプセル１０が送信ビーム１４０の影響を強く受ける。つまり、送信ビーム１４０のビーム方向に対応した位置にある造影用カプセル１０が大きく振動して、その造影用カプセル１０から強い検出結果（電磁界の変化）がアンテナ１２２において検出される。アンテナ１２２は、例えばアレー振動子１１９の近傍に配置されてもよい。
【００３１】
こうして、各送信ビーム１４０ごとに（各ビーム方向ごとに）その送信ビーム１４０に応じた電磁界の検出結果が得られる。なお、超音波を送波してから電磁界の検出結果が得られるまでの時間に基づいて、造影用カプセル１０の位置つまり送信ビーム１４０に沿った深さに関する情報を得るようにしてもよい。
【００３２】
図６に戻り、各送信ビームごとに検出されて受信アンプ１２４で増幅処理された電流（信号）は、アナログデジタルコンバータ（Ａ／Ｄ）１２６においてデジタルデータに変換されてメモリ１２８に記憶される。メモリ１２８は、メイン制御部１１０の制御に応じてデジタルデータをメモリ１２８内の所定のアドレスに格納する。例えば、各送信ビームごとにそのビーム方向の深さに応じたアドレスに各データが格納される。
【００３３】
信号プロセッサ１３０は、メモリ１２８に記憶されたデジタルデータに基づいて、超音波の送信ビームの走査領域に対応した画像データを形成する。例えば、造影用カプセルの位置を明示した画像データを形成する。信号プロセッサ１３０で形成された画像データに対応した画像は、表示器１３２に表示される。表示器１３２は、例えば、ＣＲＴモニタや液晶モニタなどである。もちろん、他の表示デバイスを利用してもよい。
【００３４】
このように、本実施形態においては、超音波を受けた造影用カプセルの電磁性物質が振動することにより引き起こされる電磁界の変化を検出して受信信号を得ている。その受信信号には、超音波の中心周波数を基本波成分とした場合における高調波成分が多く含まれている。
【００３５】
図８は、造影用カプセルの膜振動のシミュレーション結果を示す図である。そのシミュレーションにおいて、造影用カプセルは、半径３００ｎｍの微小気泡として、電磁性物質は、膜（外殻）の近くにあり膜と同じ運動をすると想定している。
【００３６】
図８（Ａ）は、超音波振動子から送波される超音波の時間変化波形であり、中心周波数が２．５ＭＨｚであり、最大振幅が４５０ｋＰａである。図８（Ｂ）は、超音波を受けた時の、造影用カプセルの膜（外殻）の振動波形を示している。４５０ｋＰａの負圧信号（超音波）を受けた時、膜半径は、最大１．３μｍ程度まで膨張する。
【００３７】
図８（Ｃ）は、膜振動を周波数解析した結果を示しており、図８（Ｃ）には、送信信号（超音波）の基本波と造影用カプセルの膜振動が図示されている。造影用カプセルが大きく膨張することで、送信信号に含まれない高次の高調波信号が発生していることが分かる。つまり、膜振動内に、基本波の２次、３次、４次などの高調波成分が含まれている。そして、基本波に比べて、２〜４次の高調波で大きい信号が得られている。この高調波の振動に伴って、高調波の電磁波成分が発生する。
【００３８】
図８（Ｄ）は、造影用カプセル内の電磁性物質が振動したときの電磁波信号を基本波帯域のみで検出した時に得られる信号を示している。一方、図８（Ｅ）は、造影用カプセル内の電磁性物質が振動したときの電磁波信号を基本波から５次までの高調波の帯域で検出した時に得られる信号を示している。高次高調波までを検出することにより、基本波のみの場合に比べて、約１０倍程度の大きな信号が得られている。本実施形態においては、造影用カプセル内の電磁性物質が振動したときの電磁波信号を基本波から５次までの高調波の帯域で検出する。一般に超音波は、高次の高調波になるほど組織伝搬中の減衰度が増加するため、反射波から得られる高調波を抽出してもその強度が小さく、ノイズとの判別が困難になる等の理由により、画像形成等に利用することが困難である。一方、電磁波は、高調波であっても組織内伝搬による減衰量が少ないため、例えば５次の高調波であっても所定の強度の信号が得られ、画像形成等に利用することができる。
【００３９】
電磁性物質を有する造影用カプセルを用いた画像化技術における一つの課題として、超音波を送波する時に発生する超音波振動子からの電磁波ノイズがある。原理的には、造影用カプセルからの電磁波は、超音波が振動子から造影用カプセルまで伝搬するときにかかる時間だけ遅れるので、振動子で発生する電磁波ノイズを時間によって判別することが可能である。しかし、振動子が振動したことによる残留振動があるため、超音波の送波後暫くの間は、振動子からの電磁波ノイズが発生している。そのため、造影用カプセルが振動子から近い場所にある場合、この残留振動による電磁波ノイズが、造影用カプセルからの電磁波と重なり、検出感度を低下させてしまう現象が懸念される。特に、超音波送信パルスの周波数が低く、あるいは、送信パルス長が長くなると、電磁波ノイズの影響が比較的顕著になる。
【００４０】
しかし、本実施形態においては、図８を利用して説明したように、造影用カプセルから得られる電磁波信号（受信信号）に含まれる高調波成分も検出している。振動子で発生する電磁波ノイズに含まれる高調波成分は基本波成分に比べて小さいため、本実施形態のように高調波成分を含んだ受信信号を検出することにより検出感度を高めることができる。そして、造影用カプセルから電磁波信号の高調波成分をより多く発生させるためには、造影用カプセルを１．５倍以上に膨張させることが望ましい。
【００４１】
図９は、超音波の送信周波数と信号量との対応関係を示す図であり、図９には、音圧３００ｋＰａで異なる周波数で一定信号量（＝音圧×時間）の振動を与えた場合における造影用カプセル（バブル）の振動最大半径と、その時発生する１次（基本波＝送信周波数）、２次、３次の高調波の解析結果のグラフが示されている。
【００４２】
造影用カプセル（バブル）は、低い周波数で大きく振動し、その結果発生する信号量は、その基本周波数（送信周波数）ではそれほど差は無いが、第２、第３高調波では、低い周波数で送信したほうが、強い信号が得られることとなる。
【００４３】
図１０は、造影用カプセル（バブル）の膨張倍率と造影用カプセルから得られる高調波成分の信号量との対応関係を示す図であり、半径１．２５μｍのバブルに周波数１．５、２．５、３．５、４．５ＭＨｚ、音圧１００、２００、３００、４００ｋＰａの条件で加える超音波エネルギーを一定にしてバブルに振動を与えた場合において、バブルの膨張倍率を横軸に、３次高調波信号量を縦軸にしてプロットしたものである。
【００４４】
図１０に示すように、造影用カプセル（バブル）の膨張倍率が０．５から１．５の小さな範囲では、３次高調波の信号量が比較的小さく且つ膨張倍率の変化に対する信号量の変化が比較的大きい。また、造影用カプセル（バブル）の膨張倍率が１．５以上の大きな範囲では、３次高調波の信号量が比較的大きく且つ膨張倍率の変化に対する信号量の変化が比較的小さい。このように、造影用カプセルを１．５倍以上に膨張させることで、強い３次高調波信号が得られることが推察される。また、造影用カプセルを２．５倍以上に膨張させても、高調波信号量の増加はほぼ横ばいとなる。
【００４５】
以上のように、造影用カプセルを１．５倍から２．０倍程度に膨張させることで、造影用カプセルから非常に強い高調波信号を発生させることができる。また、造影用カプセルの共振周波数よりも低い周波数の超音波を与えることで、より低音圧の超音波信号で造影用カプセルを大きく膨張させることが可能であることが分かる。
【００４６】
そこで、本実施形態においては、例えば中心周波数が２．５ＭＨｚあるいはそれ以下の超音波を送波する。中心周波数が２．５ＭＨｚ以下の低周波の超音波であれば、生体内における減衰も比較的小さい。さらに本実施形態においては、造影用カプセルを１．５倍程度あるいはそれ以上に膨張させて、造影用カプセルから発生する高調波成分を積極的に利用する。これにより、造影用カプセルから発生する電磁波が比較的感度よく検出され、造影用カプセルを利用して得られる画像が改善される。
【００４７】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【図面の簡単な説明】
【００４８】
【図１】本発明に係る造影用カプセルの構造を説明するための説明図である。
【図２】超音波による電磁性物質の振動を説明するための図である。
【図３】外殻に抗体を修飾した造影用カプセルを示す図である。
【図４】外殻の外側に電磁性物質が配置された造影用カプセルを示す図である。
【図５】外殻中に電磁性物質が封入された造影用カプセルを示す図である。
【図６】本発明に係る画像形成システムの好適な実施形態を示す図である。
【図７】送信ビームと造影用カプセルの対応関係を説明するための図である。
【図８】造影用カプセルの膜振動のシミュレーション結果を示す図である。
【図９】超音波の送信周波数と信号量との対応関係を示す図である。
【図１０】造影用カプセル（バブル）の膨張倍率と造影用カプセルから得られる高調波成分の信号量との対応関係を示す図である。
【符号の説明】
【００４９】
１０  造影用カプセル、１２  電磁性物質、１６  外殻、１１８  超音波探触子、１２２  アンテナ、１３０  信号プロセッサ。
【図１】
2009279166.tif 000003
【図２】
2009279166.tif 000004
【図３】
2009279166.tif 000005
【図４】
2009279166.tif 000006
【図５】
2009279166.tif 000007
【図６】
2009279166.tif 000008
【図７】
2009279166.tif 000009
【図８】
2009279166.tif 000010
【図９】
2009279166.tif 000011
【図１０】
2009279166.tif 000012